(57)【特許請求の範囲】
【請求項１】
長方形または正方形形状の操作板と、
上記操作板上に、縦ｎ個，横ｍ個のマトリクス状に配置された、表示素子を各々内蔵した複数の押し釦スイッチと、
上記複数の押し釦スイッチのいずれの押し釦スイッチによる，上記表示素子で表示できる数字または文字のいずれの表示，を行うかを示す，ある診断方法における，ある診断用表示シーケンスをもって、上記操作板上にて上記表示素子による被検者が反応すべき表示および反応すべきでない表示を含む表示を行う表示制御手段とを備え、
上記操作板の前面に立った上記被検者が、上記操作板上に上記表示素子による数字または文字の表示を認識し、該表示が、ある診断方法における，上記ある診断用表示シーケンスにおける表示のうちの反応すべき表示であったとき、該被検者は、該反応すべき表示を表示している上記押し釦スイッチを押すものとし、
上記ある診断用表示シーケンスに対し、ある診断方法において反応すべきと定めた表示のシーケンスと、上記被検者が上記押し釦スイッチを押して反応した結果のシーケンスとに基づき、上記被検者の視覚能力の診断，及び訓練を行うことを特徴とする視覚能力診断装置。
【請求項２】
請求項１に記載の視覚能力診断装置において、
上記ある診断方法における，ある診断用表示シーケンス，を外部から入力するための入力手段を備えたことを特徴とする視覚能力診断装置。
【請求項３】
請求項１または２に記載の視覚能力診断装置において、
上記操作板の前面に立った被検者が、上記操作板上に表示素子により表示された表示を認識し、それがある診断方法における，反応すべき数字または文字であったとき、該被検者が該表示を表示している上記押し釦スイッチを押した結果の信号から、被検者が上記複数の押し釦スイッチのうちのいずれのスイッチを押したかを示す，反応結果シーケンスを生成する反応結果シーケンス生成手段と、
上記反応結果シーケンスを記憶する，反応結果シーケンス記憶手段とを、さらに備えたことを特徴とする視覚能力診断装置。
【請求項４】
請求項１ないし３のいずれかに記載の視覚能力診断装置において、
上記ある診断用表示シーケンスに対し，ある診断方法において反応すべきと定めた要反応シーケンスを記憶する要反応シーケンス記憶手段を、さらに備えたことを特徴とする視覚能力診断装置。
【請求項５】
請求項１ないし４のいずれかに記載の視覚能力診断装置において、
上記ある診断方法におけるある診断用表示シーケンスに対し，ある診断方法で反応すべきと定めた要反応シーケンスと、上記反応結果シーケンス記憶手段に記憶された上記反応結果シーケンスとに基づき、上記被検者の反応状況を判定する反応状況判定手段を、さらに備えたことを特徴とする視覚能力診断装置。
【請求項６】
請求項１ないし５のいずれかに記載の視覚能力診断装置において、
上記ある診断用表示シーケンスの種々のパターンを記憶する診断用表示シーケンス記憶手段を、さらに備えたことを特徴とする視覚能力診断装置。
【請求項７】
請求項１ないし６のいずれかに記載の視覚能力診断装置において、
上記押し釦スイッチに内蔵される表示素子は、０〜９の数字と，Ａ，ｂ，ｃ，ｄ，ｅ，Ｆ，ｇ，ｈの文字を表示できる７セグメント表示素子であることを特徴とする視覚能力診断装置。
【請求項８】
請求項１ないし６のいずれかに記載の視覚能力診断装置において、
上記押し釦スイッチに内蔵される表示素子は、数字，文字を含む任意の図形を表示できるＬＥＤ表示素子であることを特徴とする視覚能力診断装置。
【請求項９】
請求項１ないし８のいずれかに記載の視覚能力診断装置において、
上記押し釦スイッチは、縦５個，横７個のマトリクス状に配置されてなることを特徴とする視覚能力診断装置。
【請求項１０】
請求項９に記載の視覚能力診断装置において、
上記押し釦スイッチは、緑色の表示素子をもつものと、赤色の表示素子をもつものとが、上記マトリクス状配置の縦，横の両方向において、一つずつ交互に配置されてなることを特徴とする視覚能力診断装置。
【請求項１１】
請求項１０に記載の視覚能力診断装置において、
被検者は、緑色のフィルタ，赤色のフィルタを、それぞれ左目，右目に持つ眼鏡をかけて、視覚能力の診断，及び訓練を行うことを特徴とする視覚能力診断装置。
【請求項１２】
請求項９に記載の視覚能力診断装置において、
上記押し釦スイッチは、上下方向の偏光のみを通過する偏光フィルタを備えた表示素子をもつものと、左右方向の偏光のみを通過する偏光フィルタを備えた表示素子をもつものとが、上記マトリクス状配置の縦，横の両方向において、一つずつ交互に配置されてなることを特徴とする視覚能力診断装置。
【請求項１３】
請求項１２に記載の視覚能力診断装置において、
被検者は、上下方向の偏光のみを通過する偏光フィルタ，左右方向の偏光のみを通過する偏光フィルタを、それぞれ左目，右目に持つ眼鏡をかけて、視覚能力の診断，及び訓練を行うことを特徴とする視覚能力診断装置。
【発明の詳細な説明】
【０００１】
【発明の属する技術分野】
本発明は、視覚能力診断装置に関し、特に、操作板上に、表示素子を各々内蔵した押し釦スイッチを縦ｎ個，横ｍ個のマトリクス状に配置した構造の視覚能力診断装置を、壁面に掛ける，あるいは専用スタンド上に搭載して使用するものであり、該視覚能力診断装置の正面に立った被検者が、複数の押し釦スイッチのうちの表示素子が反応すべき表示を表示したことを認識したとき、その押し釦スイッチを押すようにすることにより、被検者の視覚能力，反応力を種々に判断し、視覚能力の診断，及び訓練を行うものである。
【０００２】
【従来の技術】
図７は従来の視覚能力診断装置を示す斜視図で、図において７０は視覚能力診断装置、７１は操作板、７２は点灯機能を有する押し釦スイッチを示しており、図に示すように、この視覚能力診断装置７０は、点灯機能を有する押し釦スイッチ７２が、操作板７１上の中央の位置，この中央の位置を中心にした同心円上の位置，及び操作板７１の周囲の位置，の各位置に配置されているものである。また、この視覚能力診断装置は、あるシーケンスに従って、この押し釦スイッチ７２のうちの，所定の位置の押し釦スイッチ７２を点灯させることができる。
【０００３】
以下、従来の視覚能力診断装置による視覚能力診断方法について説明する。
まず、あるシーケンスに従って順次所定の位置の押し釦スイッチ７２を点灯させ、被検者はこの視覚能力診断装置７０の前面に立って、順次点灯する各押し釦スイッチ７２を押していく。こうして被検者が順次押し釦スイッチ７２を押すことにより得られた結果、即ち、点灯を確認して押した押し釦スイッチ７２の位置，及びその反応時間等を記録していく。
【０００４】
このようにして得られた、押し釦スイッチの位置情報，及びその反応時間の情報から被検者の視覚能力を診断していた。
【０００５】
【発明が解決しようとする課題】
従来は、以上のようにして視覚能力の診断を行っており、被検者が押し釦スイッチ７２の点灯を確認して押した，押し釦スイッチの位置情報，及びその反応時間の情報をもとにして視覚能力の診断を行っていた。
【０００６】
しかしながら、上述した従来の視覚能力診断方法では、被検者の反応速度や早く反応できる視野範囲の診断は行えるものの、例えば、対象となるものと対象とならないものとを瞬時に判断する能力を含む視覚能力の診断，より広い面積についての上記視覚能力の診断，さらに左，右のそれぞれの目における上記視覚能力の診断等を同時に行うことはできないという問題があった。
【０００７】
本発明は以上のような問題を解決するためになされたもので、従来の視覚能力の診断に加えてさらに、対象となるものと対象とならないものとを瞬時に判断する視覚能力の診断を含む種々の視覚能力の診断を行うことができ、被検者の視覚能力，反応力を種々に判断できる視覚能力診断装置を提供することを目的とする。
【０００８】
【課題を解決するための手段】
本願の請求項１にかかる発明は、長方形または正方形形状の操作板と、上記操作板上に、縦ｎ個，横ｍ個のマトリクス状に配置された、表示素子を各々内蔵した複数の押し釦スイッチと、上記複数の押し釦スイッチのいずれの押し釦スイッチによる，上記表示素子で表示できる数字または文字のいずれの表示，を行うかを示す，ある診断方法における，ある診断用表示シーケンスをもって、上記操作板上にて上記表示素子による被検者が反応すべき表示および反応すべきでない表示を含む表示を行う表示制御手段とを備え、上記操作板の前面に立った上記被検者が、上記操作板上に上記表示素子による数字または文字の表示を認識し、該表示が、ある診断方法における，上記ある診断用表示シーケンスにおける表示のうちの反応すべき表示であったとき、該被検者は、該反応すべき表示を表示している上記押し釦スイッチを押すものとし、上記ある診断用表示シーケンスに対し、ある診断方法において反応すべきと定めた表示のシーケンスと、上記被検者が上記押し釦スイッチを押して反応した結果のシーケンスとに基づき、上記被検者の視覚能力の診断，または訓練を行うことを特徴とするものである。
【０００９】
また本願の請求項２にかかる発明は、請求項１に記載の視覚能力診断装置において、上記ある診断方法における，ある診断用表示シーケンス，を外部から入力するための入力手段を備えたものである。
【００１０】
また本願の請求項３にかかる発明は、請求項１または２に記載の視覚能力診断装置において、上記操作板の前面に立った被検者が、上記操作板上に表示素子により表示された表示を認識し、それがある診断方法における，反応すべき数字または文字であったとき、該被検者が該表示を表示している上記押し釦スイッチを押した結果の信号から、被検者が上記複数の押し釦スイッチのうちのいずれのスイッチを押したかを示す，反応結果シーケンスを生成する反応結果シーケンス生成手段と、上記反応結果シーケンスを記憶する，反応結果シーケンス記憶手段とを、さらに備えたものである。
【００１１】
また本願の請求項４にかかる発明は、請求項１ないし３のいずれかに記載の視覚能力診断装置において、上記ある診断用表示シーケンスに対し，ある診断方法において反応すべきと定めた要反応シーケンスを記憶する要反応シーケンス記憶手段を、さらに備えたものである。
【００１２】
また本願の請求項５にかかる発明は、請求項１ないし４のいずれかに記載の視覚能力診断装置において、上記ある診断方法におけるある診断用表示シーケンスに対し，ある診断方法で反応すべきと定めた要反応シーケンスと、上記反応結果シーケンス記憶手段に記憶された上記反応結果シーケンスとに基づき、上記被検者の反応状況を判定する反応状況判定手段を、さらに備えたものである。
【００１３】
また本願の請求項６にかかる発明は、請求項１ないし５のいずれかに記載の視覚能力診断装置において、上記ある診断用表示シーケンスの種々のパターンを記憶する診断用表示シーケンス記憶手段を、さらに備えたものである。
【００１４】
また本願の請求項７にかかる発明は、請求項１ないし６のいずれかに記載の視覚能力診断装置において、上記押し釦スイッチに内蔵される表示素子は、０〜９の数字と，Ａ，ｂ，ｃ，ｄ，ｅ，Ｆ，ｇ，ｈの文字を表示できる７セグメント表示素子であることを特徴とするものである。
【００１５】
また本願の請求項８にかかる発明は、請求項１ないし６のいずれかに記載の視覚能力診断装置において、上記押し釦スイッチに内蔵される表示素子は、数字，文字を含む任意の図形を表示できるＬＥＤ表示素子であることを特徴とするものである。
【００１６】
また本願の請求項９にかかる発明は、請求項１ないし８のいずれかに記載の視覚能力診断装置において、上記押し釦スイッチは、縦５個，横７個のマトリクス状に配置されてなるものである。
【００１７】
また、本願の請求項１０に係る発明は、請求項９に記載の視覚能力診断装置において、上記押し釦スイッチは、緑色の表示素子をもつものと、赤色の表示素子をもつものとが、上記マトリクス状配置の縦，横の両方向において、一つずつ交互に配置されてなるものである。
【００１８】
また本願の請求項１１にかかる発明は、請求項１０に記載の視覚能力診断装置において、被検者は、緑色のフィルタ，赤色のフィルタを、それぞれ左目，右目に持つ眼鏡をかけて、視覚能力の診断，及び訓練を行うことを特徴とするものである。
【００１９】
また、本願の請求項１２に係る発明は、請求項９に記載の視覚能力診断装置において、上記押し釦スイッチは、上下方向の偏光のみを通過する偏光フィルタを備えた表示素子をもつものと、左右方向の偏光のみを通過する偏光フィルタを備えた表示素子をもつものとが、上記マトリクス状配置の縦，横の両方向において、一つずつ交互に配置されてなるものである。
【００２０】
また本願の請求項１３にかかる発明は、請求項１２に記載の視覚能力診断装置において、被検者は、上下方向の偏光のみを通過する偏光フィルタ，左右方向の偏光のみを通過する偏光フィルタを、それぞれ左目，右目に持つ眼鏡をかけて、視覚能力の診断，及び訓練を行うことを特徴とするものである。
【００２２】
【発明の実施の形態】
実施の形態１．
図１は本発明の実施の形態１による視覚能力診断装置を示した斜視図であり、図において１１は操作板、１２は押し釦スイッチ、１３は入力操作パネルを示しており、１００はこれらにより構成された視覚能力診断装置を示している。本視覚能力診断装置１００は、その外形が、縦８０．５ｃｍ，横１１５．２ｃｍであり、押し釦スイッチ１２が、操作板１１上に、縦５個，横７個のマトリクス状に，それぞれの間隔が１４．５ｃｍセンチになるように配置されている。
【００２３】
図２(a) は図１に示した入力操作パネル１３を拡大して示した図であり、図において、２１はディスプレイ、２２は入力操作キーをそれぞれ表している。また、図２(b) は図１に示した押し釦スイッチ１２を拡大して示した図であり、２３は押し釦スイッチ１２のそれぞれに内蔵された７セグメント表示素子を示している。
【００２４】
図３は、本実施の形態１による視覚能力診断装置の構成を説明するブロック図であり、図において、３１はマトリクス状に配置された押し釦スイッチ１２のいずれのスイッチの表示素子２３に、どのような数字（または文字）の表示を行うかを示す，診断用表示シーケンスが複数格納されている診断用表示シーケンスメモリ、３２はある診断用表示シーケンスに従って、マトリクス状に配置された操作板１１上の所定の表示素子２３に所定の数字（または文字）を表示するための制御を行う表示制御手段、３３は被検者が押し釦スイッチ１２を押すことにより得られた信号に基づいて、被検者がいずれの押し釦スイッチ１２を押したかを示す，反応結果シーケンスを生成する反応結果シーケンス生成手段、３４は反応結果シーケンス生成手段３３により生成された反応結果シーケンスを格納する反応結果シーケンスメモリ、３６は診断用表示シーケンスとこの診断で反応すべきと定めた表示とにより決まる要反応シーケンスが複数格納されている要反応シーケンスメモリ、３５は反応結果シーケンスと、要反応シーケンスとを比較して被験者の反応状況を判定する反応状況判定手段である。また、図において図１と同一符号は同一または相当する部分を示している。
【００２５】
以下、本実施の形態１による視覚能力診断装置を用いた視覚能力診断方法について説明する。
本実施の形態１による視覚能力診断方法は、ある診断用表示シーケンスをもって、上記操作板１１上にて上記表示素子２３による表示を行う表示制御手段３２を備えた視覚能力診断装置を用い、操作板１１の前面に立った被検者が、操作板１１上に表示素子２３による数字または文字の表示を認識し、表示が、ある診断方法における，上記診断用表示シーケンスに対し反応すべき表示であったとき、被検者は、該反応すべき表示をしている上記押し釦スイッチ１２を押すものとし、ある診断用表示シーケンスに対し，要反応シーケンスと、反応結果シーケンスとに基づき、被検者の視覚能力を診断するものである。
【００２６】
まず、オペレータが診断用表示シーケンスメモリ３１に格納されている複数の診断用表示シーケンスから、診断の種類に応じた所望の診断用表示シーケンスを入力操作パネル１３により選択して、この診断用表示シーケンスを表示制御手段３２に転送する。表示制御手段３２は、この診断用表示シーケンスに従って、操作板１１上の所定の表示素子２３に所定の表示を行う。
【００２７】
この診断用表示シーケンスの例として、以下に示す診断用表示シーケンスＳ１を用いた場合について説明する。図６(a) は、本実施の形態１における視覚能力診断装置１００の押し釦スイッチ，及びこれに内蔵された表示素子の配列を模式的に示したものであり、図中の矢印は、診断用表示シーケンスＳ１における，表示を行う表示素子の順を示している。また、図においてＢij（ i＝１〜５,j＝１〜７）は各押し釦スイッチ、Ｄij（ i＝１〜５,j＝１〜７）は各表示素子であり、これらはマトリクス状の上から i（ i＝１〜５）行目，左から j（ j＝１〜７）列目に位置する押し釦スイッチ（または表示素子）である。
【００２８】
ここで用いる診断用表示シーケンスＳ１は、図６(a) の矢印で示した，表示素子Ｄ23，Ｄ33，Ｄ43，Ｄ44，Ｄ45，Ｄ35，Ｄ25，Ｄ24，Ｄ34の順で、各表示素子に１秒間ずつそれぞれ１，２，３，４，５，６，７，８，９，の数字を順次連続して表示し、これを連続して複数回繰り返すものとする。
【００２９】
そして、この診断で、上記表示される各数字のうち、被検者の反応すべき表示の種類を偶数と設定すると、これによって本診断における、被験者が反応すべき要反応シーケンスＳ１−１は、“２”，“４”，“６”，“８”を表示する表示素子Ｄ33，Ｄ44，Ｄ35，Ｄ24に対応する各押し釦スイッチＢ33，Ｂ44，Ｂ35，Ｂ24，というシーケンスに決定する。
【００３０】
被検者は、図４(a) に示すように、視覚能力診断装置１００の前面に立ち、表示素子２３（Ｄ）による表示を順次認識し、これが偶数であったときに、図４(b) に示すように、この偶数を表示している表示素子が内蔵されている押し釦スイッチ１２（Ｂ）を押す。こうして順次表示される数字について被検者がそれを認識し、押し釦スイッチ１２を押した結果は、反応結果シーケンス生成手段３３によって反応結果シーケンスＳ１−Ｒに変換され、これが反応結果シーケンスメモリ３４に格納される。
【００３１】
反応状況判定手段３５は、こうして得られた反応結果シーケンスＳ１−Ｒと、要反応シーケンスＳ１−１とを、比較することにより、被検者の反応の正誤，及び反応の早さ等の反応状況の判定を行い、この判定の結果を、ディスプレイ等に出力する。
【００３２】
このようにして、被験者の視覚能力を診断することができる。また、得られた診断結果に応じて、さらに、上記視覚能力の測定を繰り返すことにより、視覚能力のトレーニングができる。
【００３３】
また本実施の形態１による視覚能力診断装置は、反応状況判定手段３５により判定した結果を外部に出力する出力手段（図示せず）を備えたものとしてもよく、また、上述した診断用表示シーケンスＳ１、または、要反応シーケンスＳ１−１を視覚能力診断装置１００の外部から入力するための入力手段（図示せず）を備えたものとしてもよい。さらにまた、診断用表示シーケンスＳ１による表示の開始、あるいは中断等を制御するフットスイッチ（図示せず）を備えたものとしてもよい。
【００３４】
以上のように、本発明の実施の形態１の視覚能力診断装置によれば、表示素子２３として７セグメント表示素子が内蔵された押し釦スイッチ１２を、操作板１１上に、マトリクス状に配置したので、７セグメント表示素子により０〜９の数字と，Ａ，ｂ，ｃ，ｄ，ｅ，Ｆ，ｇ，ｈの文字の表示を行うことが可能となり、さらに、該視覚能力診断装置を任意の大きさの長方形，または正方形とすることができるので、任意の広い範囲にわたって，反応すべきか否かの判断能力を含む視覚能力の診断，及びトレーニングを行うことができる。
【００３５】
また、診断用表示シーケンスを外部から入力するための入力手段を備えたので、種々の診断方法における，種々の診断表示用シーケンスを用いることができ、これにより種々の視覚能力の診断を行うことができる。
【００３６】
また、反応結果シーケンスを生成する反応結果シーケンス生成手段３３と、反応結果シーケンスを記憶する反応結果シーケンスメモリ３４とを備えているので、この視覚能力診断装置内で、反応結果シーケンスを順次記憶することができる。
【００３７】
また、要反応シーケンスメモリ３６，及び反応状況判定手段３５を備えているので、上記反応結果シーケンスと要反応シーケンスとに基づいて被検者の判断状況を判定することができる。
【００３８】
また、種々のパターンの診断用表示シーケンスを記憶する診断用表示シーケンスメモリ３１を備えたので、種々の診断方法における，種々の診断表示用シーケンスにより視覚能力の診断を行うことができる。
【００３９】
実施の形態２．
図５は本実施の形態２による視覚能力診断装置を説明するための図であり、図５(a)は本実施の形態２における視覚能力診断装置の斜視図、図５(b)は本実施の形態２の視覚能力診断装置の使用状況を示す模式図、図５(c)は本実施の形態２で用いる眼鏡の斜視図をそれぞれ示している。図において、５Ｇは緑色の７セグメント表示素子が内蔵された押し釦スイッチ、５Ｒは赤色の７セグメント表示素子が内蔵された押し釦スイッチ、５３は本実施の形態２で用いる眼鏡、５１Ｇは上記眼鏡５３に入れられた緑色のフィルタ、５２Ｒは上記眼鏡５３に入れられた赤色のフィルタである。図において図１と同一符号は同一または相当する部分を示している。
【００４０】
本実施の形態２の視覚能力診断装置５０は、実施の形態１で説明した視覚能力診断装置１００の各押し釦スイッチ１２を、緑色の７セグメント表示素子を内蔵したものと、赤色の７セグメント表示素子を内蔵したものとがマトリクス状配列の縦，横の両方向について、それぞれ１つずつ交互になるように，配置したものである。
【００４１】
以下、本実施の形態２による視覚能力診断装置を用いた視覚能力診断方法について説明する。
本実施の形態２における視覚能力診断方法は、左，右のそれぞれの目の視覚能力を、１度の測定で診断することができるものである。
【００４２】
まず、オペレーターが、図３の診断用表示シーケンスメモリ３１に格納されている複数の診断用表示シーケンスから、診断の種類に応じた所望の診断用表示シーケンスを入力操作パネル１３により選択して、この診断用表示シーケンスを表示制御手段３２に転送する。表示制御手段３２は、この診断用表示シーケンスに従って、操作板１１上の所定の押し釦スイッチ（５Ｇ，５Ｒ）の表示素子に所定の表示を行う。
【００４３】
この診断用表示シーケンスの例として、以下に示す診断用表示シーケンスＳ２を用いた場合について説明する。図６(b) は、本実施の形態２における視覚能力診断装置５０の押し釦スイッチ，及びこれに内蔵された表示素子の配列を模式的に示したものであり、図中の矢印は、診断用表示シーケンスＳ２における，表示を行う表示素子の順を示している。また、図において、Ｇij，及びＲij（ i＝１〜５,j＝１〜７）は、それぞれ緑色の７セグメント表示素子，及び赤色の７セグメント表示素子、ＧＢij，及びＲＢij（ i＝１〜５,j＝１〜７）はそれぞれ緑色の７セグメント表示素子が内蔵された押し釦スイッチ，及び赤色の７セグメント表示素子が内蔵された押し釦スイッチであり、これらはマトリクス状の上から i（ i＝１〜５）行目，左から j（ j＝１〜７）列目に位置する押し釦スイッチ（または表示素子）である。
【００４４】
ここで用いる診断用表示シーケンスＳ２は、図６(b) の矢印で示した，表示素子Ｒ23，Ｇ24，Ｒ25，Ｒ32，Ｇ33，Ｒ34，Ｒ43，Ｇ44，Ｒ45の順で、各表示素子に１秒間ずつそれぞれ１，２，３，４，５，６，７，８，９，の数字を順次連続して表示し、これを連続して複数回繰り返すものとする。
【００４５】
そして、この診断で、上記表示される各数字のうち、被検者の反応すべき表示の種類を偶数と設定すると、これによって本診断における、被験者が反応すべき要反応シーケンスＳ２−１は、“２”，“４”，“６”，“８”を表示する表示素子Ｇ24，Ｒ32，Ｒ34，Ｇ44，に対応する各押し釦スイッチＧＢ24，ＲＢ32，ＲＢ34，ＧＢ44，というシーケンスに決定する。こうして順次表示される数字について被検者がそれを認識し、押し釦スイッチ（５Ｇ，５Ｒ）を押した結果は、反応結果シーケンス生成手段３３によって反応結果シーケンスＳ２−Ｒに変換され、これが反応結果シーケンスメモリ３４に格納される。
【００４６】
反応状況判定手段３５は、こうして得られた反応結果シーケンスＳ２−Ｒと、要反応シーケンスＳ２−１とを、比較することにより、被検者の反応の正誤，及び反応の早さ等の反応状況の判定を行い、この判定の結果を、ディスプレイ等に出力する。本実施の形態２では、右目に緑色のフィルタ、左目に赤色のフィルタが入った眼鏡５３をかけた状態でこの視覚能力の診断を行っているので、緑色の表示素子（Ｇ）が表示する数字は、右目のみによって、一方赤色の表示素子（Ｒ）が表示する数字は左目のみによって認識されることとなり、右目の視覚能力と左目の視覚能力とをそれぞれ１度の測定により得ることができる。
【００４７】
以上のように、本発明の実施の形態２の視覚能力診断装置によれば、上記実施の形態１の視覚能力診断装置において、押し釦スイッチを、緑色の７セグメント表示素子をもつ押し釦スイッチ５Ｇと、赤色の７セグメント表示素子をもつ押し釦スイッチ５Ｒとがマトリクス状配置の縦，横の両方向において、１つずつ交互となるように配置したので、上記実施の形態１で述べた視覚能力の診断に加えて、右目、及び左目のそれぞれの視覚能力の診断を１度の測定で行うことができる効果がある。
【００４８】
また、実施の形態２における赤色の表示素子，及び緑色の表示素子に代えて、上下方向の偏光のみを通過する偏光フィルタを備えた表示素子，及び左右方向の偏光のみを通過する偏光フィルタを備えた表示素子を用い、かつ赤色のフィルタ，及び緑色のフィルタに代えて、上下方向の偏光のみを通過する偏光フィルタ，及び左右方向の偏光のみを通過する偏光フィルタをそれぞれ右目，左目にもつ眼鏡を用いて測定を行うことで、上記実施の形態２と同様に，１回の測定で左右の視覚能力を同時に診断することができる。またこの測定をカラー表示と組み合わせて行うことができる効果ある。
【００４９】
なお、本願の実施の形態では表示素子として７セグメント表示素子を備えた視覚能力診断装置について説明したが、７セグメント表示素子の変わりに数字，文字を含む種々の図形を表示できるＬＥＤ表示素子を用いても良い。
【００５０】
また、これらの視覚能力診断装置１００（５０）と同様にマトリクス状に表示部分が配置されるように構成した映像を、テレビ画面，あるいはスクリーン上に表示し、この各表示部分に、上記診断用表示シーケンスに従って所定の表示を行い、各表示部分に表示された表示が反応すべきものであったときに、被験者が該各表示部分に対応する各入力部分に所定の信号を入力することによっても、上記実施の形態１，及び２の視覚能力診断装置と同様に視覚能力の診断，及びトレーニングを行うことが可能である。
【００５１】
さらにまた、このように画像，あるいはスクリーン上の表示部分に表示を行う視覚能力診断装置においては、表示部分に、特定の偏向、例えば縦方向，及び横方向の偏向を持つ光による表示を行い、被検者は、縦方向に偏向した光のみを通す偏向フィルタ，横方向に偏向した光のみを通す偏向フィルタを、それぞれ左目，右目にもつ眼鏡をかけた状態で測定を行うことにより、上記実施の形態２で述べたのと同様の視覚能力の診断を行うことが可能である。
【００５２】
【発明の効果】
以上のように、本願の請求項１にかかる発明によれば、長方形または正方形形状の操作板と、上記操作板上に、縦ｎ個，横ｍ個のマトリクス状に配置された、表示素子を各々内蔵した複数の押し釦スイッチと、上記複数の押し釦スイッチのいずれの押し釦スイッチによる，上記表示素子で表示できる数字または文字のいずれの表示，を行うかを示す，ある診断方法における，ある診断用表示シーケンスをもって、上記操作板上にて上記表示素子による被検者が反応すべき表示および反応すべきでない表示を含む表示を行う表示制御手段とを備え、上記操作板の前面に立った上記被検者が、上記操作板上に上記表示素子による数字または文字の表示を認識し、該表示が、ある診断方法における，上記ある診断用表示シーケンスにおける表示のうちの反応すべき表示であったとき、該被検者は、該反応すべき表示を表示している上記押し釦スイッチを押すものとし、上記ある診断用表示シーケンスに対し、ある診断方法において反応すべきと定めた表示のシーケンスと、上記被検者が上記押し釦スイッチを押して反応した結果のシーケンスとに基づき、上記被検者の視覚能力の診断，または訓練を行うことを特徴とするものであるので、被検者の視覚能力，反応力を種々に判断することができる。
【００５３】
また本願の請求項２にかかる発明によれば、請求項１に記載の視覚能力診断装置において、上記ある診断方法における，ある診断用表示シーケンス，を外部から入力するための入力手段を備えたものであるので、種々の診断表示用シーケンスを用いることができ、これにより被検者の視覚能力，反応力を種々に判断することができる。
【００５４】
また本願の請求項３にかかる発明によれば、請求項１または２に記載の視覚能力診断装置において、上記操作板の前面に立った被検者が、上記操作板上に表示素子により表示された表示を認識し、それがある診断方法における，反応すべき数字または文字であったとき、該被検者が該表示を表示している上記押し釦スイッチを押した結果の信号から、被検者が上記複数の押し釦スイッチのうちのいずれのスイッチを押したかを示す，反応結果シーケンスを生成する反応結果シーケンス生成手段と、上記反応結果シーケンスを記憶する，反応結果シーケンス記憶手段とを、さらに備えたものであるので、被検者が押し釦スイッチを押した結果のシーケンスを生成することができ、これにより被検者の視覚能力，反応力を種々に判断することができる。
【００５５】
また本願の請求項４にかかる発明によれば、請求項１ないし３のいずれかに記載の視覚能力診断装置において、上記ある診断用表示シーケンスに対し，ある診断方法において反応すべきと定めた要反応シーケンスを記憶する要反応シーケンス記憶手段を、さらに備えたものであるので、ある診断用表示シーケンスにおける反応すべき表示のシーケンスを格納しておくことができる。
【００５６】
また本願の請求項５にかかる発明は、請求項１ないし４のいずれかに記載の視覚能力診断装置において、上記ある診断方法におけるある診断用表示シーケンスに対し，ある診断方法で反応すべきと定めた要反応シーケンスと、上記反応結果シーケンス記憶手段に記憶された上記反応結果シーケンスとに基づき、上記被検者の反応状況を判定する反応状況判定手段を、さらに備えたものであるので、要反応シーケンスと反応結果シーケンスとの比較を容易にかつ瞬時に行うことができ、被検者の視覚能力，反応力を種々に判断することができる効果がある。
【００５７】
また本願の請求項６にかかる発明によれば、請求項１ないし５のいずれかに記載の視覚能力診断装置において、上記ある診断用表示シーケンスの種々のパターンを記憶する診断用表示シーケンス記憶手段を、さらに備えたものであるので、被検者の視覚能力，反応力を種々に判断することができる。
【００５８】
また本願の請求項７にかかる発明によれば、請求項１ないし６のいずれかに記載の視覚能力診断装置において、上記押し釦スイッチに内蔵される表示素子は、０〜９の数字と，Ａ，ｂ，ｃ，ｄ，ｅ，Ｆ，ｇ，ｈの文字を表示できる７セグメント表示素子であるので、複数種類の表示を行うことができ、被検者の視覚能力，反応力を種々に判断することができる。
【００５９】
また本願の請求項８にかかる発明によれば、請求項１ないし６のいずれかに記載の視覚能力診断装置において、上記押し釦スイッチに内蔵される表示素子は、数字，文字を含む任意の図形を表示できるＬＥＤ表示素子であるので、複数種類の表示を行うことができ、被検者の視覚能力，反応力を種々に判断することができる。
【００６０】
また本願の請求項９にかかる発明によれば、請求項１ないし８のいずれかに記載の視覚能力診断装置において、上記押し釦スイッチは、縦５個，横７個のマトリクス状に配置されてなるものであるので、任意の視野範囲で測定を行うことができ、被検者の視覚能力，反応力を種々に判断することができる。
【００６１】
また本願の請求項１０にかかる発明によれば、請求項９に記載の視覚能力診断装置において、上記押し釦スイッチは、緑色の表示素子をもつものと、赤色の表示素子をもつものとが、上記マトリクス状配置の縦，横の両方向において、一つずつ交互に配置されてなるものであるので、異なる色の光により表示を行うことができ、被検者の視覚能力，反応力を種々に判断することができる。
【００６２】
また本願の請求項１１にかかる発明によれば、請求項１０に記載の視覚能力診断装置において、被検者は、緑色の偏光フィルタ，赤色の偏光フィルタを、それぞれ左目，右目に持つ眼鏡をかけて、視覚能力の診断，及び訓練を行うことを特徴とするものであるので、左目、及び右目のそれぞれの視覚能力を診断することができ、被検者の視覚能力，反応力を種々に判断することができる。
【００６３】
また本願の請求項１２にかかる発明によれば、請求項９に記載の視覚能力診断装置において、上記押し釦スイッチは、上下方向の偏光のみを通過する偏光フィルタを備えた表示素子をもつものと、左右方向の偏光のみを通過する偏光フィルタを備えた表示素子をもつものとが、上記マトリクス状配置の縦，横の両方向において、一つずつ交互に配置されてなるものであるので、異なる方向に偏光した光により表示を行うことができ、被検者の視覚能力，反応力を種々に判断することができる。
【００６４】
また本願の請求項１３にかかる発明によれば、請求項１２に記載の視覚能力診断装置において、被検者は、上下方向の偏光のみを通過する偏光フィルタ，左右方向の偏光のみを通過する偏光フィルタを、それぞれ左目，右目に持つ眼鏡をかけて、視覚能力の診断，及び訓練を行うことを特徴とするものであるので、左目、及び右目のそれぞれの視覚能力を診断することができ、被検者の視覚能力，反応力を種々に判断することができる。
【図面の簡単な説明】
【図１】  本発明の実施の形態１における視覚能力診断装置を示す斜視図である。
【図２】  本発明の実施の形態１の視覚能力診断装置における入力操作パネルを示す正面図（(a) ），及び押し釦スイッチの正面図（(b) ）である。
【図３】  本発明の実施の形態１及び２における視覚能力診断装置の構成を説明するブロック図である。
【図４】  本発明の実施の形態１における視覚能力診断時の状態を示す図である。
【図５】  本発明の実施の形態２における視覚能力診断装置の斜視図（(a) ）、診断状態を示す図（(b) ）、使用する眼鏡を示す図（(c) ）である。
【図６】  本発明の実施の形態１における視覚能力診断装置の押し釦スイッチ，及び表示素子の配置を示す模式図（図６(a) ），及び本発明の実施の形態２における視覚能力診断装置の押し釦スイッチ，及び表示素子の配置を示す模式図（図６(b) ）である。
【図７】  従来の視覚能力診断装置を示す斜視図である。
【符号の説明】
１００  本発明の視覚能力診断装置、１１  操作板、１２  押し釦スイッチ、１３  入力操作パネル、２１  ディスプレイ、２２  入力操作キー、２３  表示素子、３１  診断用表示シーケンスメモリ、３２  表示制御手段、３３  反応結果シーケンス生成手段、３４  反応結果シーケンスメモリ、３５  反応状況判定手段、３６  要反応シーケンスメモリ、５０  実施の形態２における視覚能力診断装置、５Ｇ  緑色の７セグメント表示素子が内蔵された押し釦スイッチ、５Ｒ赤色の７セグメント表示素子が内蔵された押し釦スイッチ、５３  診断用眼鏡、５１Ｇ  緑色のフィルタ、５２Ｒ  赤色のフィルタ、Ｂij  押し釦スイッチ、Ｄij  表示素子、ＧＢij  緑色の表示素子が内蔵された押し釦スイッチ、ＲＢij赤色の表示素子が内蔵された押し釦スイッチ、Ｇij  緑色の表示素子、Ｒij  赤色の表示素子、７０  従来の視覚能力診断装置、７１  操作板、７２  押し釦スイッチ。
【図１】
0003734112.tif 000002
【図２】
0003734112.tif 000003
【図３】
0003734112.tif 000004
【図４】
0003734112.tif 000005
【図５】
0003734112.tif 000006
【図６】
0003734112.tif 000007
【図７】
0003734112.tif 000008